【事件の表示】
　特願２０００−１４８３８０「冷却貯蔵庫等の排水構造」拒絶査定不服審判事件〔平成１３年１１月３０日出願公開、特開２００１−３３０３６３〕について、次のとおり審決する。
【結　論】
　本件審判の請求は、成り立たない。
【理　由】
１．　手続の経緯・本願発明
　本願は，平成１２年５月１９日の出願であって，その請求項１〜３に係る発明は、平成１７年４月４日付け及び平成１７年８月２４日付け手続補正により補正された明細書及び図面の記載からみて、それぞれ特許請求の範囲の請求項１〜３に記載された次のとおりのものと認める。
　　
　「【請求項１】　冷却器からの除霜水を受けるために配設された受皿と、庫壁に形成した排水口間にドレンパイプを配設して、前記除霜水を庫外に排水するようにした冷却貯蔵庫等の排水構造において、
　前記排水口を前記庫壁に設置したフランジ付エルボにより形成し、前記ドレンパイプの先端部に弾性パッキンを挿嵌させ、該弾性パッキンを前記フランジ付エルボのフランジに密着させて、前記排水口を気密に塞いだことを特徴とする冷却貯蔵庫等の排水構造。
　　【請求項２】　前記ドレンパイプの外周にヒーター線を巻装し、さらに前記弾性パッキンに筒部を一体成形して、該筒部にヒーター線とともに前記ドレンパイプを挿嵌させたことを特徴とする請求項１に記載の冷却貯蔵庫等の排水構造。
　　【請求項３】　前記弾性パッキンに、前記庫壁に取り付ける際の見当となる突起を設けたことを特徴とする請求項１又は請求項２に記載の冷却貯蔵庫等の排水構造。」
　　
２．　引用例に記載された事項
　原査定の拒絶の理由に引用された，本願出願前に頒布された刊行物である特開昭６１−９９０８２号公報（以下，「引用例」という。）には，図面と共に次の記載がある。
　　
ア．　「産業上の利用分野
　本発明は冷蔵庫の除霜水排水装置に関する。」（１頁左欄下から４行）
　　
イ．　「発明の目的
　本発明は上記の点に鑑み，冷蔵室庫内への外気の侵入の防止と，冷却器からの冷気が，排水口より冷蔵室内へ流入するのを防止し，更に断熱材中へ背面に付着した水滴が侵入するのを防止する組立作業性に優れた冷蔵庫を提供するものである。」（２頁右上欄７行〜１２行）
　　
ウ．　「以下本発明の一実施例を示す第１図から第３図に従い説明する。従来と同一部分においては同一符号を付し，その詳細な説明は略する。図において冷凍室６の後方に収納された冷却器８の除霜水は除霜水の受具１０より延出した排水口１１より冷蔵室７側へ排水する。除霜水の受具１０は冷蔵室側の天壁５’と冷凍室側の底壁５”との間に断熱材１６を介して構成した仕切壁５の冷蔵室奥側に断熱材１６中に埋設して位置している。そして，排水口１１は前記天壁５’と一体で仕切壁５に対向した輪状のフランジ５ｃを持つ中突状の案内部５ｄで覆われている。１３ａは冷蔵庫の背壁中に埋設され，フランジ面１３ｂを内箱３ａの開口周縁と係合し，・・・他端を冷蔵庫の機械室に設けられた蒸発皿１４に導かれている排水管である。１７は外向きのフランジ１７ａを開口周縁に持ち，他端にはつば部１７ｂを形成し，排水管１３ａの開口部周縁の相対面に軟質フォームからなるシール材１８を設けた連結管である。・・・。前記輪状のフランジ５ｃは前記連結管１７の外向きフランジ１７ａ内面内に収納されて，上面を同一面としている。かかる構造において前記連結管１７の外向きフランジ１７ａの外径に対向する結合部１９ａを持ち，・・・とした結合具１９を冷蔵室背面側に向かって圧接挿入固定される。・・・。そして，他方は排水管１３ａの開口部側に対向したシール材１８で前記内箱３の背壁３ａと冷蔵室７側で当接する開口部フランジ１３ｂの周縁を圧接シールし，一連の排水装置としている。この為除霜水は排水口１１，連結管１７，排水管１３ａと流れる。よって外気の庫内への侵入，又排水口から冷気が冷蔵室庫内へ侵入しない。」（２頁左下欄６行〜３頁左上欄５行）
　　
３．　引用例に記載された発明
　ところで，記載事項ウと第１図〜第４図から，次の点が認められる。
　　
Ａ．　排水管１３ａは，連結管１７側の端部に開口部フランジ１３ｂ付曲管部が一体形成され，冷蔵庫背壁に埋設されていること。
　　
Ｂ．　軟質フォームからなるシール材１８は，環状であって，連結管１７の先端部に形成したつば部１７ｂに該先端部外周を囲んで設けられ，排水管１３ａの開口部フランジ１３ｂの周縁を圧接シールすること。
　　                      
Ｃ．　外向きのフランジ１７ａを一端の開口周縁に持ち，他端部に形成したつば部１７ｂにシール材１８を設けた連結管１７は，その一端が，冷却器８からの除霜水を受けるために配設された受具１０より延出した排水口１１を覆う案内部５ｄに連結され，その他端が，開口部フランジ１３ｂ付曲管部を持ち冷蔵庫背壁に埋設された排水管１３ａに，該フランジ１３ｂの周縁を前記シール材１８で圧接シールして接合されているから，前記連結管１７は，冷却器８からの除霜水を受けるために配設された受具１０と，冷蔵庫背壁に埋設された排水管１３ａの開口部フランジ１３ｂ付曲管部の間に配設されて，前記除霜水を庫外に排水するようにしていること。
　　
　したがって，記載事項ア〜ウ及び第１図〜第４図から，引用例には次の発明（以下，「引用例の発明」という。）が記載されていると認められる。
　　
　冷却器８からの除霜水を受けるために配設された受具１０と、冷蔵庫背壁に埋設した排水管１３ａの開口部フランジ１３ｂ付曲管部との間に連結管１７を配設して，前記除霜水を庫外に排水するようにした冷蔵庫の除霜水排水装置において、
　前記冷蔵庫背壁に埋設した前記フランジ１３ｂ付曲管部により排水口を形成し、前記連結管１７の先端部に形成したつば部１７ｂに、該先端部外周を囲む軟質フォームからなる環状のシール材１８を設け，該シール材１８で前記フランジ１３ｂ付曲管部のフランジ１３ｂの周縁を圧接シールし、前記排水口を気密に塞いだ冷蔵庫の除霜水排水装置。
　　
４．　対比，一致点・相違点
　本願の請求項１に係る発明（以下，「本願発明」という。）と引用例の発明を対比すると，引用例の発明の「受具１０」，「冷蔵庫背壁」，「連結管１７」，「冷蔵庫」及び「除霜水排水装置」は，それぞれ本願発明の「受皿」，「庫壁」，「ドレンパイプ」，「冷却貯蔵庫等」及び「排水構造」に相当する。
　　
　また，引用例の発明の「シール材１８」は，軟質フォームからなるため弾性を有することは技術常識であるから，本願発明の「弾性パッキン」に相当し，この両部材はドレンパイプの先端部外周を囲んで設けられている点で共通である。
　　
　更に，引用例の発明の「開口部フランジ１３ｂ付曲管部」と本願発明の「フランジ付エルボ」とは，いずれもフランジ付曲管部として共通である。
　　
　したがって，両発明は，
冷却器からの除霜水を受けるために配設された受皿と、庫壁に形成した排水口間にドレンパイプを配設して、前記除霜水を庫外に排水するようにした冷却貯蔵庫等の排水構造において、
　前記排水口を前記庫壁に設置したフランジ付曲管部により形成し、前記ドレンパイプの先端部外周を囲んで弾性パッキンを設け、該弾性パッキンを前記フランジ付曲管部のフランジに密着させて、前記排水口を気密に塞いだ冷却貯蔵庫等の排水構造の点で一致し，次の点で相違する。　
　　
［相違点１］
　前記フランジ付曲管部が，本願発明ではフランジ付エルボであるのに対して，引用例の発明では前記排水管１３ａに一体構造となっている点。
　　
［相違点２］
　弾性パッキンを，本願発明では，前記ドレンパイプの先端部に挿嵌させるのに対して，引用例の発明では，前記ドレンパイプの先端部に形成したつば部に該先端部の外周を囲んで設けた点。
　　
５．　相違点についての検討
［相違点１について］
　引用例の発明において，フランジ付曲管部を排水管１３ａに一体構造とすることに代えて，フランジ付曲管部をフランジ付エルボとし，これを排水管１３ａに接続することは，単なる設計事項にすぎない。
　　
［相違点２について］
　引用例の発明において，ドレンパイプの作成の容易さ、及び，フランジ付曲管部に対する弾性パッキンの押圧力等を考慮し，弾性パッキンを，ドレンパイプの先端部に形成したつば部に設けることに代えて，直接、ドレンパイプの先端部に挿嵌して設けることは，当業者が容易に想到し得たことである。
　　
　そして，本願発明の効果は，引用例の発明から予測し得る程度のものであって，格別なものでない。
　　
６．　むすび
　以上のとおりであるから，本願発明は，引用例の発明に基づいて当業者が容易に発明をすることができたものであるから，特許法第２９条第２項の規定により特許を受けることができない。
　　
　よって，本願の他の請求項に係る発明については検討するまでもなく，結論のとおり審決する。